(57)【要約】平均粒径０．５〜１０μｍのチッ化ケイ素を含有する歯磨剤であり、その製造方法としては、平均粒径０．５〜１０μｍのチッ化ケイ素の粉末と、天然物由来ロウ成分の粉末と、高粘性親水性溶媒と水溶性高分子を含有する溶液とを混合・攪拌することによる。また、把持部材の一端に清掃部材を備え、前記把持部材の少なくとも前記一端側を長手方向に円弧状に形成した湾曲部を有するとともに、この湾曲部の長手方向中央部が、前記把持部材の短手方向外側に向かって円弧状に形成した幅広部を有する歯面清掃具である
2004022018.tif 000002
【特許請求の範囲】
【請求項１】
平均粒径０．５〜１０μｍのチッ化ケイ素を含有することを特徴とする歯磨剤。
【請求項２】
チッ化ケイ素と共に、天然物由来ロウ成分を含有する請求項１に記載の歯磨剤。
【請求項３】
チッ化ケイ素と共に、高粘性親水性溶媒を含有する請求項１または２に記載の歯磨剤。
【請求項４】
チッ化ケイ素と高粘性親水性溶媒と共に、水溶性高分子を含有する請求項３に記載の歯磨剤。
【請求項５】
チッ化ケイ素の含有量が３０〜６０重量％である請求項１から４のいずれかに記載の歯磨剤。
【請求項６】
スラリー状又はペースト状の歯磨剤であって、２５℃の温度における粘度が１００，０００〜３，０００，０００ｃｐｓである請求項３から５のいずれかに記載の歯磨剤。
【請求項７】
平均粒径０．５〜１０μｍのチッ化ケイ素の粉末と、天然物由来ロウ成分の粉末と、高粘性親水性溶媒と水溶性高分子を含有する溶液とを混合し、２５℃の温度における粘度が１００，０００〜３，０００，０００ｃｐｓとなるまで撹拌することを特徴とする歯磨剤の製造方法。
【請求項８】
把持部材の一端に清掃部材を備える歯面清掃具において、前記把持部材の少なくとも前記一端側を長手方向に円弧状に形成した彎曲部を有するとともに、この彎曲部の長手方向中央部が、前記把持部材の短手方向外側に向かって円弧状に形成した幅広部を有することを特徴とする歯面清掃具。
【請求項９】
把持部材の一端に嵌合穴を設けて、この嵌合穴に清掃部材を嵌入するとともに、彎曲部の厚み方向内面側を前記把持部材の長手方向および短手方向に円弧状に形成した凹面部と、前記彎曲部の厚み方向外面側を前記把持部材短手方向に円弧状に形成した凸面部とを有する請求項８に記載の歯面清掃具
【請求項１０】
把持部材の一端側に形成した彎曲部を第１の把持部とするとともに、他端側を前記把持部材の長手方向に円弧状に形成して第２の把持部とし、この第２の把持部を形成する円弧の中心と前記第１の把持部を形成する円弧の中心が、前記把持部材の厚み方向内面側にある請求項８または９に記載の歯面清掃具。
【請求項１１】
第２の把持部の長手方向中央部が、把持部材の短手方向内側に向かって円弧状に形成した絞り部を有する請求項８から１０のいずれかに記載の歯面清掃具。
【請求項１２】
凹面部表面が、把持部材の短手方向に刻まれた複数本の溝により凹凸が設けられたものである請求項８から１１のいずれかに記載の歯面清掃具。
【請求項１３】
清掃部材が、繊維方向が同一となるようにポリエステル繊維を複数本揃えた集合体を、ポリアセタール樹脂で固着成形したものである請求項８から１２のいずれかに記載の歯面清掃具
【請求項１４】
請求項１から６のいずれかに記載の歯磨剤と、請求項８から１３のいずれかに記載の歯面清掃具からなる歯牙清掃用セット。
【発明の詳細な説明】
【技術分野】    本発明は、口腔内の歯牙清掃用の物品に関し、更に詳しくは、タバコのヤニ、コーヒー、紅茶などにより歯間及び歯面に付着した着色汚れを容易に除去し、歯牙を美しくするための歯磨剤及びその製造方法、歯磨剤などとともに用いる歯面清掃具、並びにそれらからなる歯牙清掃用セットに関する。
【背景技術】    一般的に歯牙清掃においては、歯ブラシと歯磨剤を用いてのブラッシング清掃が主に行われている。しかしながら、タバコのヤニ、コーヒー、紅茶などに由来する着色汚れが歯牙表面に付着した場合、通常使用される歯ブラシや歯磨剤では汚れの除去が容易ではない。そこで歯科医により専門器具を使用して除去清掃が行われていたが、近年では、家庭でも手軽に清掃除去ができるように、着色汚れ除去用の歯磨剤や清掃器具が市販されるようになってきた。
上記着色汚れ除去用の歯磨剤としては、例えば、炭酸カルシウム、リン酸カルシウム、シリカ、アルミナ等の無機粉末等が使用されているものがある（特許文献１参照）。これらの無機粉末は硬度が不足で充分なヤニ等の除去効果を得るにはかなりの時間及び労力を必要とする。これらに対し、最も硬度の高いダイヤモンド微粉末を用いれば、比較的容易にヤニ等の除去効果を得ることが可能であるが、ダイヤモンド微粉末は高価であり、通常の歯磨剤に使用するには経済性に難点がある。
一方、本発明者らが以前見出しているものとして、歯科治療に用いられる各種材料の表面を研磨して艶を出すための艶出し材に、チッ化ケイ素を含有させているものがある（特許文献２参照）。チッ化ケイ素はダイヤモンドに次ぐ硬度を有するが、ダイヤモンドよりはるかに安価である。
また、チッ化ケイ素をフィラーとして使用し、歯科用組成物に配合させているものや（特許文献３参照）、歯科用接着剤に含有させているものもある（特許文献４参照）。
なお、本発明者らは、すでにチッ化ケイ素粉末を含有する着色物除去用歯磨剤を見出している（特許文献５参照）。
一方、上記清掃器具として、例えば、片手で持つように設計された操作用ハンドルの一方の端が屈曲しており、その先端に、研磨部分が組み込まれた清掃具が取り付けられている歯の付着物及び汚れの除去用器具がある（特許文献６参照）。この器具において、操作用ハンドルは射出成形されたプラスチック素材によって製作され、全長にわたって中空とした円形、多角形または楕円形の断面を持つことが示されており、中空部分に清掃具を納められる区画室を設けられることも示されている。また研磨部分はグラスファイバーまたは合成樹脂の微粒子から構成されることが示されており、研磨剤として無機物質を混入できることも示されている。
また、金属繊維や無機繊維などの硬質フィラメント材料からなるフェルトや織布などの繊維面状体を、合成樹脂製や金属製、あるいは木製の棒状体の任意形状とした先端の両側や一端に設け形成した歯ヤニ除去具がある（特許文献７参照）。この器具における棒状体として、形状記憶樹脂や形状記憶合金、または針金のように自由に曲げられる合成樹脂などを使用すれば、自由に曲げ、歯の裏側の歯ヤニの除去清掃も可能となり得ることが示されている。そして、この器具の大きさはマッチ棒程度であることも示されている。
さらに、研磨剤が混入されているゴム質チップが、台座を介して、あるいは直接に、取っ手の先端に取り付けられている歯牙清掃具がある（特許文献８参照）。この器具において、取っ手と台座は一体構造でも着脱可能な構造でもよく、両者が角度を有して構成されている例も示されている。また研磨剤が混入されているゴム質チップに代えて、パルプないし紙材を圧縮成型したパルプ製チップを用いてもよいことが示されている。
そして、握り部の先端または両端それぞれに嵌合部を設け、該嵌合部の嵌合穴に歯牙清掃部材を固設した歯牙清掃用具もある（特許文献９参照）。この器具は、前記握り部の長軸と前記嵌合部の嵌合穴中心軸とのなす角度を１１０°〜１２０°または８０°〜８５°とするとともに、前記歯牙清掃部材の先端面を斜めカットまたは略円錐形としたことが示されている。また握り部は略ストレート形状で、長さ１２０ｍｍ程度がよいことが示されている。
なお、本発明者らが以前提案したものとして、全体が清掃部用キャップ、清掃部、結合部および柄部からなる着色物除去用口腔内清浄器具がある（特許文献１０参照）。この器具は、清掃部に加わった力が、結合部内部に設けられた弾性体のクッション強度を超えた場合に、清掃部が結合部の内部に収納される構造である。
【特許文献１】                特開２０００−３５５５２８号公報（第２−４頁）
【特許文献２】                特開平１１−１５５８８２号公報
【特許文献３】                特開２００１−１３９８４４号公報（第２６頁）
【特許文献４】                特開２００２−１２８６２０号公報（第６頁）
【特許文献５】                特開２００２−２９３７２４号公報
【特許文献６】                特開平４−３３８４６４号公報
【特許文献７】                特開平１０−７５９６６号公報
【特許文献８】                特開平１１−７６２７１号公報
【特許文献９】                特開２０００−２８８０００号公報
【特許文献１０】                特開２００２−２８２２８２号公報
本発明者らは従来の技術を鑑みて、着色汚れを除去する歯磨剤を改良すべく鋭意研究した結果、本発明における歯磨剤を完成した。
また、上述した従来の技術による清掃器具は、特許文献８などで示されるように、清掃時の持ち易さや操作性などを特徴としていないものがある。また、特許文献６や特許文献９などで示される清掃器具などのように、形状に工夫を凝らしていても、把持部分の大きさが指先でしっかりと持つにはちょうど良いとはいえず、持ち易さや操作性に一層の工夫の余地が残されているものもある。逆に、特許文献７などで示される清掃器具のように、小さく、自由に形状を変えられるようになっているものは、把持したときの力加減が難しい。そこで、本発明者らは従来の技術を鑑みて、着色汚れを除去清掃するための歯面清掃具の持ち易さや操作性などを改良すべく鋭意研究した結果、本発明を完成した。
すなわち、本発明の目的は、歯牙表面を傷つけることなく、短時間の簡単な清掃で良好なヤニ及び茶渋等の着色汚れを除去し、歯牙を美しくすることができる歯磨剤及びその製造方法を提供すること、歯面に付着した着色汚れを除去する際に、指先でしっかりと持つことができ、把持したときの力加減が容易であり、かつ歯牙表面を傷つけることなく、短時間で手軽に清掃できる歯面清掃具を提供すること、歯磨剤と歯面清掃具を組合わせて用いることで、より効果的に歯牙清掃できる歯牙清掃用セットを提供することにある。
【発明の開示】
上述の目的は、平均粒径０．５〜１０μｍのチッ化ケイ素を含有することを特徴とする歯磨剤により達成される。
上記歯磨剤は、チッ化ケイ素と共に、天然物由来ロウ成分を含有することが好ましい。また、チッ化ケイ素と共に、高粘性親水性溶媒を含有することも好ましく、さらに、水溶性高分子を含有することも好ましい。そしてチッ化ケイ素の含有量は、３０〜６０重量％であることが好ましい。
歯磨剤の製造方法としては、平均粒径０．５〜１０μｍのチッ化ケイ素の粉末と、天然物由来ロウ成分の粉末と、高粘性親水性溶媒と水溶性高分子を含有する溶液とを混合し、２５℃の温度における粘度が１００，０００〜３，０００，０００ｃｐｓとなるまで撹拌することを特徴としている。
さらに、把持部材の一端に清掃部材を備える歯面清掃具において、前記把持部材の少なくとも前記一端側を長手方向に円弧状に形成した彎曲部を有するとともに、この彎曲部の長手方向中央部が、前記把持部材の短手方向外側に向かって円弧状に形成した幅広部とを有することを特徴とする歯面清掃具により達成される。
上記把持部材の一端に嵌合穴を設けて、この嵌合穴に清掃部材を嵌入するとともに、彎曲部の厚み方向内面側を前記把持部材の長手方向および短手方向に円弧状に形成した凹面部と、前記彎曲部の厚み方向外面側を前記把持部材短手方向に円弧状に形成した凸面部とを有することが望ましい。また、前記把持部材の一端側に形成した彎曲部を第１の把持部とするとともに、他端側を前記把持部材の長手方向に円弧状に形成して第２の把持部とし、この第２の把持部を形成する円弧の中心と前記第１の把持部を形成する円弧の中心は、前記把持部材の厚み方向内面側にあることが望ましい。さらに前記第２の把持部の長手方向中央部は、前記把持部材の短手方向内側に向かって円弧状に形成した絞り部を有することが望ましい。そして前記凹面部表面は、前記把持部材の短手方向に刻まれた複数本の溝により凹凸が設けられたものであることが望ましい。
上記清掃部材は、繊維方向が同一となるようにポリエステル繊維を複数本揃えた集合体を、ポリアセタール樹脂で固着成形したものが好ましい。
そして、上記歯磨剤と、上記歯面清掃具を組み合わせて用いる歯牙清掃用セットである。
【図面の簡単な説明】    第１図
本発明の歯面清掃具の一実施形態を示す側面図である。
第２図
本発明の歯面清掃具の一実施形態を示す正面図である。
第３図
第図２におけるＡ−Ａ’断面図である。
第４図
本発明の歯面清掃具の把持状態の一例を示す説明図である。
第５図
本発明の歯面清掃具の別の把持状態の例を示す説明図である。
【符号の説明】
１  清掃部材
２  把持部材
３  嵌合穴
４  第１把持部（彎曲部）
５  凹面部
６  溝（凹凸）
７  凸面部
８  幅広部
９  第２把持部
１０  絞り部
【発明を実施するための最良の形態】    以下、本発明の構成について、歯磨剤、歯面清掃具、歯牙清掃用セットの順に、それぞれ詳細に説明する。
本発明の歯磨剤に用いるチッ化ケイ素の平均粒径は、０．５〜１０μｍである。微細な凹凸を有する歯牙表面に付着した着色汚れは、歯牙から除去することが困難であり、着色汚れを効果的に除去するためには、平均粒径０．５μｍ以上のチッ化ケイ素粉末を用いる。チッ化ケイ素の粒子が大きいと歯牙表面を傷つけるため、平均粒径１０μｍ以下のチッ化ケイ素粉末を用いる。
なお、本発明において平均粒径とは、いわゆるメジアン径（ｄ５０）のことである。例えば、レーザー回折散乱法による粒度分布測定装置（たとえばＭｉｃｒｏｔｒａｃ  Ｉｎｃ．製７９９７ＳＰＡ型など）を用いて、チッ化ケイ素粉末の体積基準の分布を測定し、累積分布で表したときに累積５０％となる粒径を求めることにより得られる。もちろん、ふるい法、自然沈降法、遠心沈降法、動的光散乱法、顕微鏡法、画像解析法などの他の手法によって測定した粒度分布に拠っても構わない。
上記チッ化ケイ素は組成式Ｓｉ３Ｎ４で示される無機化合物である。特にα型・β型の結晶質チッ化ケイ素は、ダイヤモンド（モース硬度１０）の次に硬いモース硬度９を有する。従って、チッ化ケイ素は、コンポジットレジンなどの歯科材料、切削工具、軸受けなどの機械部品等に用いられる。なお、アルミナ、シリカ等の無機化合物の中には、チッ化ケイ素と同等のモース硬度（ロックウェル硬度、ビッカース硬度も同等である）を有するものがある。これらは歯科材料、切削工具、機械部品等にチッ化ケイ素と同様に用いられるが、破壊靭性はチッ化ケイ素が優れている。例えば、ＳＥＰＢ法（ＪＩＳＲ１６０７準拠）によれば、チッ化ケイ素の破壊靭性は約６ＭＰａ／ｍｌ／２であるが、アルミナは３〜４ＭＰａ／ｍｌ／２である。
本発明の歯磨剤においては、チッ化ケイ素の含有量は３０〜６０重量％が好ましい。着色汚れの除去効果を充分に得るためには、チッ化ケイ素の含有量は３０重量％以上が好ましい。チッ化ケイ素の含有量を多くすると歯磨剤の粘性が高くなるため、使いやすさの面を考慮すると、含有量は６０重量％以下が好ましい。
本発明の歯磨剤に用いるチッ化ケイ素の粒子形状は、鋭角を有しない表面が滑らかで曲面から形成されたものが好ましく、特に好適な形状としては、例えば球状粉末が挙げられる。
本発明の歯磨剤には、天然物由来ロウ成分を加えることが可能である。天然物由来ロウ成分を加えると、ロウ成分が歯牙表面の微細な凹凸や傷を埋めるため、歯牙表面を滑らかにする効果が得られる。歯牙表面が滑らかになる結果、新規に着色汚れが付着することを予防できる。さらに、ロウ成分の艶出し効果により、歯牙表面の光沢も増加する。
本発明の歯磨剤に天然物由来ロウ成分を加える場合、天然物由来ロウ成分の含有量は３〜１０重量％が好ましい。歯牙表面の光沢を充分に得るためには、天然物由来ロウ成分の含有量は３重量％以上が好ましい。天然物由来ロウ成分は疎水性であることから、天然物由来ロウ成分の含有量を多くすると歯磨剤の粘性が高くなるため、使いやすさの面を考慮すると、含有量は１０重量％以下が好ましい。
上記天然物由来ロウ成分としては、植物より抽出して得られるカルナウバロウと、カイガラムシから抽出して得られるセラックが挙げられる。いずれも食品、化粧品及び薬品の光沢化剤として一般に使用されている。カルナウバロウとセラックは、それぞれ単独使用又は併用して、歯磨剤に加えることができる。いずれも歯磨剤に加えるときは、粉末を用いるのが好ましい。粉末の大きさは、歯磨剤へ粉末を均一に分散させるために平均粒径１０μｍ以下が好ましい。
本発明の歯磨剤には、高粘性親水性溶媒を加えることが可能である。高粘性親水性溶媒を加えると、歯磨剤はスラリー状又はペースト状になるため、チッ化ケイ素粉末等の飛散を防ぐことができ、また、適度な湿り気を与えるため、歯磨剤として使いやすい。
本発明の歯磨剤に高粘性親水性溶媒を加える場合、高粘性親水性溶媒の含有量は１０〜６０重量％が好ましい。歯磨剤の粘性を適度な使いやすさにするためには、高粘性親水性溶媒の含有量は１０重量％以上が好ましい。着色汚れの除去効果を充分に得るために必要なチッ化ケイ素の含有量との割合を考慮すると、高粘性親水性溶媒の含有量は６０重量％以下が好ましい。
上記高粘性親水性溶媒としては、グリセリン、エチレングリコール、ポリエチレングリコール、プロピレングリコール等が挙げられる。これら高粘性親水性溶媒は、それぞれ単独又は二種以上を混合して歯磨剤に加えることができる。高粘性親水性溶媒を歯磨剤に加える際は、水を併用することもできる。なお、歯磨剤に水を加えた場合、使用時の漱ぎ性が良くなる。
本発明の歯磨剤に、高粘性親水性溶媒を加えてスラリー状又はペースト状にした場合、水溶性高分子を加えることが可能である。水溶性高分子を加えることにより、歯磨剤の粘性を調整しやすくなり、歯磨剤の経時安定性も得られる。
本発明の歯磨剤に水溶性高分子を加える場合、水溶性高分子の含有量は０．５〜５重量％が好ましい。チッ化ケイ素や天然物由来ロウ成分等の粉末成分と高粘性親水性溶媒や水等の溶液成分との分離を防いだり、粉末成分の沈降を防ぐためには、水溶性高分子の含有量は０．５重量％以上が好ましい。水溶性高分子の含有量を多くすると歯磨剤の粘性が高くなるため、使いやすさの面を考慮すると、含有量は５重量％以下が好ましい。
上記水溶性高分子としては、ヒドロキシプロピルメチルセルロース、カラギーナン、カルボキシメチルセルロースナトリウム、ポリビニルアルコール、メチルセルロース等の水以外には溶解し難いものと、ポリビニルピロリドン等の水以外にも親水性溶媒に可溶なものとが挙げられる。これら水溶性高分子は、それぞれ単独又は二種以上を混合して歯磨剤に加えることができる。水溶性高分子を用いる場合、一般に歯磨剤には高粘性親水性溶媒の他に水を加える必要があるが、親水性溶媒に可溶な水溶性高分子のみを用いる場合は、水を加えなくてもよい。
本発明の歯磨剤には、上記天然物由来ロウ成分、高粘性親水性溶媒、水溶性高分子、水等以外にも、所望により無機粉末、湿潤剤、香料、顔料等の他の成分を含有させることが可能である。無機粉末は、炭酸カルシウム、リン酸カルシウム、シリカ、アルミナ等が挙げられ、粘性調整効果と着色汚れ除去効果を補助できる。湿潤剤は、Ｄ−ソルビット水溶液、グリセリン等の親水性溶媒が挙げられ、歯磨剤に適度の水分量と可塑性を付与できるため、乾燥固化防止効果が得られる。香料、顔料は、食品、化粧品及び薬品など一般に広く用いられるものでよい。
本発明の歯磨剤は、その形態を特に限定するものではないが、粉末状、スラリー状、ペースト状などが挙げられる。歯磨剤としての使いやすさを考慮すれば、スラリー状又はペースト状が好ましい。そして、その粘度が１００，０００〜３，０００，０００ｃｐｓ（２５℃）であると、より好ましく、２００，０００〜１，５００，０００ｃｐｓ（２５℃）であると、さらに好ましい。粉末状の場合は、チッ化ケイ素粉末をそのまま用いればよく、さらに、天然物由来ロウ成分粉末や無機粉末などを適宜加えてもよい。スラリー状又はペースト状の場合は、上述したようにチッ化ケイ素に高粘性親水性溶媒を加えればよく、さらに上述した天然物由来ロウ成分、水溶性高分子、水等の添加可能な他の成分を適宜選択して加えてもよい。そして水溶性高分子として、水以外には溶解し難いものを添加した場合、好ましい粘度は１００，０００〜３００，０００ｃｐｓ（２５℃）である。また水溶性高分子として、親水性溶媒にも可溶なものだけを添加した場合、好ましい粘度は８００，０００〜２，０００，０００ｃｐｓ（２５℃）である。なお粘度の測定は、一般的な粘度計（例えば、Ｂｒｏｏｋｆｉｅｌｄ  Ｅｎｇｉｎｅｅｒｉｎｇ  Ｌａｂｓ，Ｉｎｃ．製粘度計ＨＢＤＶ−Ｉ＋型など）を用いて、所定の条件（例えばスピンドルの型式、回転数、温度等）の下、測定すればよい。
本発明の歯磨剤の製造方法としては、例えば、平均粒径０．５〜１０μｍのチッ化ケイ素の粉末と、天然物由来ロウ成分の粉末と、高粘性親水性溶媒と水溶性高分子を含有する溶液とを混合し、２５℃の温度における粘度が１００，０００〜３，０００，０００ｃｐｓ、好ましくは２００，０００〜１，５００，０００ｃｐｓとなるまで撹拌することにより実現できる。
混合・撹拌には、一般に用いられる混合機を使用すればよい。混合機は、容器自体が回転、振動、揺動する容器回転型、羽根等の撹拌物部品や気流を用いる容器固定型、両者を組み合わせた複合型に大きく分かれるが、歯磨剤の形態（粉末状、スラリー状、ペースト状など）に応じて適宜選択すればよい。
混合機に各成分を投入する手順に制約はないが、例えば、チッ化ケイ素の粉末と天然物由来ロウ成分の粉末をあらかじめ混合しておき、この混合粉末を水溶性高分子を含有する溶液に投入すると、混合・撹拌による均一化を効果的にできる。また、他の粉末成分や溶液成分を用いる場合も、粉末成分同士、溶液成分同士をそれぞれ混合してから、溶液成分に粉末成分を投入すると混合・撹拌による均一化を効果的にできる。
混合・撹拌して得られる歯磨剤は、最終的な粘度が、１００，０００〜３，０００，０００ｃｐｓ（２５℃）であることが望ましく、２００，０００〜１，５００，０００ｃｐｓ（２５℃）であると、さらに望ましい。撹拌途中の温度条件に特に制約はないが、粘度確認や物性変化を防ぐ上で、２０〜３０℃で撹拌するのが好ましい。
【実施例】    以下、本発明の歯磨剤を実施例及び比較例を例示することにより具体的に説明するが、本発明の歯磨剤はこれら実施例により何ら限定されるものではない。
なお、実施例及び比較例における、評価に用いる歯（ポリッシング対象歯）、歯磨剤の使用方法（ポリッシング操作）、各種評価方法すなわちハンター白度の増加量、光沢度、除去感、表面傷、使用感，粘度については、以下のようにして行った。
（１）ポリッシング対象の歯の調製
まず牛の抜去歯のエナメル質部分を＃１８０のシリコンカーバイド研磨紙で平坦に研磨する。次にショートピース１００本分のタバコの煙を蒸留水５０ｍｌ中に通過させた抽出液を別途用意する。そして、この抽出液に上記牛の抜去歯を浸漬後、３７℃の恒温機で１週間保存し、表面に着色汚れが沈着するように調製したポリッシング対象の歯を得た。
（２）ポリッシング操作
調製した上記歯の表面に実施例及び比較例の歯磨剤を適量塗布し、ＡＳＯ  ＣＯＴＴＯＮＳＷＡＢ綿棒（阿蘇製薬社製）にてポリッシングを行った。試験は男性３人女性２人の計５人で行い、日常の歯ブラシでブラッシングする場合と同程度の力で、１歯につき２０往復のポリッシング操作を行なった。
（３）着色汚れ除去効果（ハンター白度の増加量、光沢度、除去感）
・ハンター白度の増加量
ポリッシング試験前後の牛歯エナメル質表面のハンター白度を、ミノルタカメラ社製の分光測色計（ＣＭ−２００２）で測定し、ポリッシングによるハンター白度の増加量を算出した。このハンター白度の増加量を歯磨剤のポリッシング効果の目安とした。
・光沢度
ポリッシング試験後の牛歯エナメル質表面の光沢を、村上色彩研究所製の光沢計で入射角６０°にて測定した。
・除去感
ポリッシング試験後の牛歯エナメル質表面を、試験を実施した男女５人が観察し、着色汚れが除去できたかどうかを次の基準で官能的に評価した。
○…充分に除去できた  △…ほぼ除去できた  ×…除去できたとはいえない
なお、ハンター白度の増加量、光沢度、除去感は、試験を実施した男女５人の平均を代表値とした。
（４）歯牙表面の傷
ポリッシング前後の歯牙表面を、走査型電子顕微鏡写真で観察し、歯牙表面の傷が増えたかどうを次の基準で官能的に評価した。
○…ほとんど傷は増えていない  ×…傷が増えている
なお、試験を実施した男女５人の平均を代表とした。
（５）使用感
ポリッシング操作したときの歯磨剤の、扱いやすさや磨きやすさなどの使用感について、次の基準で官能的に評価した。
○…歯牙に塗布しやすい粘性を持ち、磨きやすい（粘性に問題はない）
△…やや塗布しにくいが、歯牙を磨く上では問題ない
×…歯牙に塗布しにくく、磨きにくい（パサツキ又は流れやすい）
なお、試験を実施した男女５人の平均を代表とした。
（６）粘度
粘度の測定には、Ｂｒｏｏｋｆｉｅｌｄ  Ｅｎｇｉｎｅｅｒｉｎｇ  Ｌａｂｓ，Ｉｎｃ．製粘度計ＨＢＤＶ−Ｉ＋型を用いた。このとき歯磨剤の温度は２５℃とし、スピンドルはＮｏ．７を用いて、所定の回転数で測定した。なお、スピンドルの回転数は、１００，０００〜３００，０００ｃｐｓの測定は５０ｒｐｍ、３００，０００〜１，０００，０００ｃｐｓの測定は２５ｒｐｍ、１，０００，０００ｃｐｓ以上の測定は４ｒｐｍに設定した。
［実施例１〜４、比較例１〜３］  −チッ化ケイ素の平均粒径が異なる例
走査型電子顕微鏡写真では角が無く滑らかな表面を有しており、平均粒径が表１に示す各大きさのチッ化ケイ素粉末５０重量％と、天然物由来ロウ成分である平均粒径５μｍのカルナウバロウ粉末５重量％と、高粘性親水性溶媒（グリセリン／プロピレングリコール／ポリエチレングリコール＝１８重量％／４重量％／６重量％）と、水溶性高分子（ヒドロキシプロピルメチルセルロース／カラギーナン＝０．５重量％／０．５重量％）と、水１０重量％と、湿潤剤であるソルビット水溶液（７０％溶液）６重量％をライカイ機で良く混合し、粘度１５０，０００〜１，２００，０００ｃｐｓ（２５℃）のペースト状の歯磨剤を得た。これらの歯磨剤を用いたポリッシング操作の効果を評価した結果を表２に示す。
2004022018.tif 000003
2004022018.tif 000004
表２より明らかなように、チッ化ケイ素の平均粒径が０．５〜１０μｍである実施例１〜４は、着色汚れ除去効果（ハンター白度の増加量、光沢度、除去感）、歯牙表面の傷、使用感すべてに優れている。一方、チッ化ケイ素の平均粒径が０．１μｍと小さい比較例１は、着色汚れ除去効果（ハンター白度の増加量、光沢度、除去感）が劣っており、逆にチッ化ケイ素の平均粒径が１５μｍ以上と大きい比較例２や３は、ハンター白度の増加量は大きいものの、歯牙表面に傷を増やし、光沢度も劣る結果となった。
［実施例５〜８］  −チッ化ケイ素の含有量が異なる例
平均粒径１μｍで走査型電子顕微鏡写真では角が無く滑らかな表面を有するチッ化ケイ素粉末と、平均粒径５μｍのカルナウバロウ粉末と、高粘性親水性溶媒（グリセリン／プロピレングリコール／ポリエチレングリコール）と、水溶性高分子（ヒドロキシプロピルメチルセルロース／カラギーナン）と、水と、ソルビット水溶液（７０％溶液）を表３に示す割合でそれぞれライカイ機で良く混合し、粘度１００，０００〜３，２００，０００ｃｐｓ（２５℃）のスラリー状又はペースト状の歯磨剤を得た。これらの歯磨剤を用いたポリッシング操作の効果を評価した結果を表４に示す。
2004022018.tif 000005
2004022018.tif 000006
表４より明らかなように、チッ化ケイ素の含有量が３０重量％以上あれば、着色汚れの除去効果（ハンター白度の増加量、除去感）は、より好ましいものとなる。一方、チッ化ケイ素の含有量が６０重量％以下であれば、歯磨剤としての使用感がより好ましいものとなる。
［実施例９〜１４］  −天然物由来ロウ成分の含有量が異なる例
平均粒径１μｍで走査型電子顕微鏡写真では角が無く滑らかな表面を有するチッ化ケイ素粉末５０重量％と、水溶性高分子（ヒドロキシプロピルメチルセルロース／カラギーナン＝０．５重量％／０．５重量％）と、水１０重量％と、天然物由来ロウ成分（平均粒径５μｍのカルナウバロウ粉末／平均粒径６μｍのセラック粉末）と、高粘性親水性溶媒（グリセリン／プロピレングリコール／ポリエチレングリコール）と、ソルビット水溶液（７０％溶液）を表５に示す割合でそれぞれライカイ機で良く混合し、粘度２００，０００〜３，５００，０００ｃｐｓ（２５℃）のペースト状の歯磨剤を得た。これらの歯磨剤を用いたポリッシング操作の効果を評価した結果を表６に示す。
2004022018.tif 000007
2004022018.tif 000008
表６より明らかなように、天然物由来ロウ成分（カルナウバロウ及び／又はセラック）の含有量が３重量％以上あれば、光沢度は、より好ましいものとなる。一方、天然物由来ロウ成分（カルナウバロウ及び／又はセラック）の含有量が１０重量％以下であれば、歯磨剤としての使用感がより好ましいものとなる。
［実施例１５〜２１］  −高粘性親水性溶媒の含有量が異なる例
平均粒径１μｍで走査型電子顕微鏡写真では角が無く滑らかな表面を有するチッ化ケイ素粉末と、平均粒径５μｍのカルナウバロウ粉末と、高粘性親水性溶媒（グリセリン／プロピレングリコール／ポリエチレングリコール／エチレングリコール）と、水溶性高分子（ヒドロキシプロピルメチルセルロース／カラギーナン）と、水と、ソルビット水溶液（７０％溶液）を表７に示す割合でそれぞれライカイ機で良く混合し、粘度７０，０００〜５５０，０００ｃｐｓ（２５℃）のスラリー状又はペースト状の歯磨剤を得た。これらの歯磨剤を用いたポリッシング操作の効果を評価した結果を表８に示す。
2004022018.tif 000009
2004022018.tif 000010
表８より明らかなように、高粘性親水性溶媒（グリセリン／プロピレングリコール／ポリエチレングリコール／エチレングリコール）の含有量が１０重量％以上あれば、歯磨剤としての使用感がより好ましいものとなる。一方、高粘性親水性溶媒（グリセリン／プロピレングリコール／ポリエチレングリコール／エチレングリコール）の含有量が６０重量％以下であれば、歯磨剤としての着色汚れ除去効果がより好ましいものとなる。
［実施例２２〜２８］  −水溶性高分子の含有量が異なる例
平均粒径１μｍで走査型電子顕微鏡写真では角が無く滑らかな表面を有するチッ化ケイ素粉末５０重量％と、平均粒径５μｍのカルナウバロウ粉末５重量％と、高粘性親水性溶媒（グリセリン／プロピレングリコール／ポリエチレングリコール）と、水溶性高分子（ヒドロキシプロピルメチルセルロース／ポリビニルピロリドン）と、水と、ソルビット水溶液（７０％溶液）と無機粉末（平均粒径４μｍのシリカ粉末）を表９に示す割合でそれぞれライカイ機で良く混合し、粘度１５０，０００〜２，８００，０００ｃｐｓ（２５℃）のペースト状の歯磨剤を得た。これらの歯磨剤を用いたポリッシング操作の効果を評価した結果を表１０に示す。
2004022018.tif 000011
2004022018.tif 000012
表１０より明らかなように、水溶性高分子（ヒドロキシプロピルメチルセルロース／ポリビニルピロリドン）の含有量が０．５重量％以上あれば、歯磨剤としての使用感が好ましいものとなる。一方、水溶性高分子（ヒドロキシプロピルメチルセルロース／ポリビニルピロリドン）の含有量が５重量％以下であれば、歯磨剤としての使用感がより好ましいものとなる。
［実施例２９〜３３］  −その他の実施例
平均粒径１μｍで走査型電子顕微鏡写真では角が無く滑らかな表面を有するチッ化ケイ素粉末と、平均粒径５μｍのカルナウバロウ粉末と、高粘性親水性溶媒（グリセリン）と、水を表１１に示す割合でそれぞれライカイ機で良く混合し、粘度３００，０００〜２，６００，０００ｃｐｓ（２５℃）のペースト状の歯磨剤を得た。これらの歯磨剤を用いたポリッシング操作の効果を評価した結果を表１２に示す。
2004022018.tif 000013
2004022018.tif 000014
［比較例４〜６］  −チッ化ケイ素を含有しない例
実施例３０のチッ化ケイ素の代わりに、比較例４は平均粒径１．５μｍの合成球状シリカ粉末を使用し、比較例５は平均粒径０．７μｍの合成球状アルミナ粉末を使用した。それ以外は実施例３０と同様にして、粘度９００，０００〜１，２００，０００ｃｐｓ（２５℃）のペースト状の歯磨剤を作製した。また、比較例６は市販のタバコヤニ除去専用の歯磨剤を用いた。これらの歯磨剤を用いたポリッシング操作の効果を評価した結果を表１３に示す。
2004022018.tif 000015
表１３より明らかなように、チッ化ケイ素を含有しない比較例４〜６は、着色汚れ除去効果（ハンター白度の増加量、光沢度、除去感）が劣っている。
［実施例３４〜４２］  −粘度の異なる例
平均粒径１μｍで走査型電子顕微鏡写真では角が無く滑らかな表面を有するチッ化ケイ素粉末と、平均粒径５μｍのカルナウバロウ粉末と、高粘性親水性溶媒（グリセリン）と、水溶性高分子（ヒドロキシプロピルメチルセルロース／ポリビニルピロリドン）と、水を表１４に示す割合でそれぞれライカイ機で良く混合し、スラリー状又はペースト状の歯磨剤を得た。これらの歯磨剤を用いたポリッシング操作の効果を評価した結果を表１５に示す。
2004022018.tif 000016
2004022018.tif 000017
表１５より明らかなように、水溶性高分子として、水以外には溶解し難いもの（ヒドロキシプロピルメチルセルロース）を添加した場合、粘度が１００，０００〜３００，０００ｃｐｓ（２５℃）であれば、歯磨剤としての使用感がより好ましいものとなる。一方、水溶性高分子として、親水性溶媒にも可溶なもの（ポリビニルピロリドン）を添加した場合、粘度が８００，０００〜２，０００，０００ｃｐｓ（２５℃）であれば、歯磨剤としての使用感がより好ましいものとなる。
次に、本発明の歯面清掃具の実施の形態について、図面を参照してその一例を以下説明する。図１は本発明による歯面清掃具の一実施形態の側面図を示したものであり、図２はその正面図を示したものである。また、図３は図２におけるＡ−Ａ’断面図である。
本実施形態の歯面清掃具は、清掃部材１と把持部材２とからなものである。そして、把持部材２の一端に嵌合穴３が設けられ、この嵌合穴３に清掃部材１が嵌入されている。
上記把持部材２において嵌合穴３が設けられた一端側は、把持部材２の長手方向に円弧状に形成されて、彎曲部である第１把持部４となっている。この第１把持部４の厚み方向内面側は、把持部材２の長手方向および短手方向に円弧状に形成されて凹面部５となっている。この凹面部５の表面は、把持部材２の短手方向に複数本の溝６が刻まれて凹凸を形成している。また、第１把持部４の厚み方向外面側は、把持部材２の短手方向に円弧状に形成されて凸面部７となっている。さらに、前記第１把持部４の長手方向中央部は、把持部材２の短手方向外側に向かって円弧状に形成されて幅広部８となっている。
一方、上記把持部材２において第１把持部４の他端側は、把持部材２の長手方向に円弧状に形成されて第２把持部９となっている。そして、この第２把持部９の円弧の中心と第１把持部４の円弧の中心は、ともに把持部材２の厚み方向内面側に位置している。さらに、前記第２把持部９の長手方向中央部は、把持部材２の短手方向内側に向かって円弧状に形成されて絞り部１０となっている。
次に、本実施形態の上記各構成についての詳細を説明する。
上記清掃部材１は、繊維方向が同一となるようにポリエステル長繊維を複数本揃えた集合体を、ポリアセタール樹脂に含浸し、直径約４ｍｍの円柱状に固着成形した後、両端を所定形状にカットして長さ約１２ｍｍとしたものである。この円柱状の清掃部材１の両端カット形状は、一端を直角にカットして直角面１１とし、他端を第１傾斜面１２と第２傾斜面１３の２面にカットして先端を尖らせたものである。この２面カットは大きさが異なり、円柱の直径方向で、第１傾斜面１２：第２傾斜面１３＝１：２の比率になっているため、第２傾斜面１３のほうが大きな面となっている。
上記把持部材２はポリプロピレン樹脂を用いて、射出成形したものであり、長手方向の長さＬは約５４ｍｍである。その一端に設けられた上記嵌合穴３は直径約４ｍｍ、深さ約５ｍｍであり、この端部では把持部材２は円形状であり、厚み方向Ｄ１は約６ｍｍである。
彎曲部でもある上記第１把持部４は、把持部材２の長手方向に外面円弧半径Ｒ１＝約３８ｍｍ、内面円弧半径Ｒ２＝約３４ｍｍで彎曲している。この内面側にある上記凹面部５は、把持部材２の長手方向に円弧半径Ｒ３＝約２７ｍｍ、短手方向に円弧半径Ｒ４＝約１２ｍｍの曲面で凹んでいる。この表面には、深さ０．３ｍｍの溝６が０．５ｍｍピッチで３１本刻まれている。一方、第１把持部４の外面側にある上記凸面部７は、短手方向に円弧半径Ｒ５＝約１０ｍｍの曲面で膨らんでいる。そして、第１把持部４の長手方向中央部の上記幅広部８は、把持部材２の短手方向外側に向かって、両側とも円弧半径Ｒ６＝約２１ｍｍで広げられて幅Ｗ１＝約１２ｍｍになっている。
上記第２把持部９は、把持部材２の長手方向に外面円弧半径Ｒ７＝約２００ｍｍ、内面円弧半径Ｒ８＝約１９５ｍｍで彎曲しており、厚み方向Ｄ２は約５ｍｍである。この第２把持部９の長手方向中央部の上記絞り部１０は、把持部材２の短手方向内側に向かって、両側とも円弧半径Ｒ９＝約６０ｍｍで絞られて幅Ｗ２＝約７ｍｍになっている。
以上の構成による歯面清掃具の使用方法について、図４および図５を参照して説明する。
本実施形態の歯面清掃具は、清掃部材１の先端に研磨剤を含有する歯磨剤や研磨ペーストなどを軽く取り、着色汚れが付着した歯面に直接塗布して、鏡などで確認しながら、汚れが落ちるまで磨き上げるように擦って用いると良い。この際、細かいところの汚れは清掃部材１の尖らせた部分を使い、平面の汚れは清掃部材１の平たい部分を使って落とすと効果的である。また、彎曲部でもある第１把持部４が彎曲していることにより、清掃時に清掃部材１の先端を歯面に当て易くなり、さらに鏡を見たときに手で隠れることがなくなる。
そして、歯面表側を清掃する場合の持ち方としては、例えば、図４に示すように、凹面部５に当てた親指先端付近の腹部と、凸面部７に当てた人差し指第一関節付近の腹部とで、第１把持部４を挟み、さらに絞り部１０に中指第２関節付近を当てて第２把持部を挟むと良い。
この持ち方をすると、親指腹部の膨らみが凹面部５にフィットし、溝６により滑りにくくなり、幅広部８により歯面清掃具の幅方向のぶれも押さえられる。また人差し指第一関節腹部の曲がりが凸面部７にフィットし、さらに曲げた中指第２関節の前後の腹部が絞り部１０にフィットする。このため３本の指先で歯面清掃具をしっかりと持つことができ、把持したときの力加減が容易となる。
また、歯面裏側を清掃する場合の持ち方としては、例えば、図５に示すように、凸面部７に当てた親指先端付近の腹部と、凹面部５に当てた人差し指先端付近の腹部とで、第１把持部４を挟み、さらに絞り部１０に中指第２関節付近を当てて第２把持部を挟むと良い。
この持ち方をすると、人差し指親指腹部の膨らみが凹面部５にフィットし、溝６により滑りにくくなり、幅広部８により歯面清掃具の幅方向のぶれも押さえられる。また親指腹部が凸面部７を押さえ、さらに曲げた中指第２関節の前後の腹部が絞り部１０にフィットする。このため３本の指先で歯面清掃具をしっかりと持つことができ、把持したときの力加減が容易となる。
上述の二通りの持ち方は、本実施形態の代表的な持ち方であるが、もちろん他の持ち方であっても構わない。なお、図４に示した持ち方で本実施形態の歯面清掃具を用いれば、歯科審美上重要となる歯面表側を清掃するのに最適である。
以上のように実施の形態を説明したが、本発明はこの実施の形態に限定されるものではない。なお、本発明の各構成に関して、実施の形態で説明した以外の例を以下に説明する。
清掃部材１はポリエステル長繊維の集合体を、ポリアセタール樹脂で固着成形したが、ナイロンなどの他の合成繊維を用いることもでき、またエポキシなどの他の樹脂で固めることもできる。また、研磨剤含有の有無も問わない。ただし、研磨剤を含有する歯磨剤などと併用する場合、歯面を傷つけないようにするため、清掃部材１には研磨剤を含有させない方が好ましい。また、併用する歯磨剤としては、例えば、特開２００２−２９３７２４号公報に開示されるチッ化ケイ素粉末を含有する着色物除去用歯磨剤が好適である。そして、清掃部材１の形状としては、直径約４ｍｍの円柱状の一端を第１傾斜面１２と第２傾斜面１３の２面にカットしたが、円柱状である必要はなく、両端の形状もこれに限定する必要はない。ただし、柱状体の先端を複数面カットし、尖った部分と、面の部分が混在しているほうが、清掃効果の面で好ましい形状である。そして、柱状体の断面外形サイズも好ましくは１〜８ｍｍ、より好ましくは２〜６ｍｍ程度がよい。
把持部材２はポリプロピレン樹脂を用いて、射出成形によったが、ポリエチレンやポリウレタンなどの他の合成樹脂を用いることもでき、圧縮成形や中空成形などの他の金型成形によっても、切削加工によっても可能であるが、コスト面からみてポリプロピレン樹脂を用いて、射出成形したものが好ましい。そして、把持部材２の長さＬは約５４ｍｍとしたが、指先でしっかりと持ち、把持したときの力加減が容易となる長さは、３０〜８０ｍｍ程度が好ましく、より好ましくは４５〜６５ｍｍ程度の長さである。また端部の厚みＤ１は約６ｍｍとしたが、清掃部材１より０．５ｍｍ以上余分に厚みが取れればよい。すなわち、好ましくは２ｍｍ以上、より好ましくは３ｍｍ以上がよい。ただし大きくし過ぎても使いにくくなるため、好ましくは１０ｍｍ以下、より好ましくは８ｍｍ以下がよい。
嵌合穴３は直径約４ｍｍ、深さ約５ｍｍとしたが、清掃部材１が嵌入可能であれば形状、深さは限定されないが、例えば、清掃部材１が円形断面であれば、嵌合穴３も丸穴にする。この場合、清掃部材１が円周方向に摺動可能となり、先端の向きを調整できるので好ましい。
彎曲部でもある上記第１把持部４は、外面円弧半径Ｒ１＝約３８ｍｍ、内面円弧半径Ｒ２＝約３４ｍｍとしたが、清掃時の歯面に当てやすさや鏡の見やすさなどの面から見て、Ｒ１は２０〜５０ｍｍ程度が好ましく、より好ましくは３０〜４０ｍｍ程度である。そして、Ｒ２はＲ１より５〜１０ｍｍ程度小さいことが望ましい。なおＲ１とＲ２は、同心円弧である必要はないが、その場合、厚みＤ１が好ましい範囲となるように中心位置を決めたほうが良い。
上記凹面部５は、円弧半径Ｒ３＝約２７ｍｍ、円弧半径Ｒ４＝約１２ｍｍとしたが、親指または人差し指の腹部のフィット性と、指先でしっかりと持ち、把持したときの力加減が容易となる点を考慮すると、Ｒ３は２０〜４０ｍｍ程度が好ましく、より好ましくは２５〜３５ｍｍ程度であり、Ｒ４は８〜２０ｍｍ程度が好ましく、より好ましくは１０〜１５ｍｍ程度である。
上記溝６は、深さ０．３ｍｍで０．５ｍｍピッチに３１本刻んだが、溝の深さや本数が限定されることはなく、また凹面部５の表面に凹凸が設けられるのであれば形状も特に限定されない。例えば、複数の突起を設けることでも可能であるが、把持部材２の短手方向（幅方向）に溝を刻めば、清掃時の主な操作方向と交差し滑りにくいので好ましい。
上記凸面部７は、円弧半径Ｒ５＝約１０ｍｍとしたが、人差し指第一関節腹部の曲がりまたは親指の腹部のフィット性と、指先でしっかりと持ち、把持したときの力加減が容易となる点を考慮すると、Ｒ５は６〜１５ｍｍ程度が好ましく、より好ましくは８〜１２ｍｍ程度である。
上記幅広部８は、円弧半径Ｒ６＝約２１ｍｍ、幅Ｗ１＝約１２ｍｍとしたが、親指の腹部または人差し指先端付近の腹部とのフィット性と、歯面清掃具の幅方向のぶれも押さえられる効果を考慮すると、Ｒ６は１５〜３０ｍｍ程度が好ましく、より好ましくは２０〜２５ｍｍ程度であり、Ｗ１は５ｍｍ以上が好ましく、より好ましくは１０〜２０ｍｍ程度である。
上記第２把持部９は、把持部材２の長手方向に外面円弧半径Ｒ７＝２００ｍｍ、内面円弧半径Ｒ８＝１９５ｍｍとしたが、彎曲していなくても構わない。また、この第２把持部９の円弧の中心と第１把持部４の円弧の中心が、把持部材２の厚み方向で反対側に位置していても構わない。ただし、歯面表側を主に清掃する場合、中指第２関節前後の腹部のフィット性と、指先でしっかりと持ち、把持したときの力加減が容易となる点を考慮すると、各把持部の円弧中心が同じ側にあり、Ｒ７は１００ｍｍ以上が好ましく、より好ましくは１５０ｍｍ以上である。
そして、Ｒ８はＲ７より５〜１０ｍｍ程度小さいことが望ましい。なお、Ｒ７とＲ８は、同心円弧である必要はないが、その場合、厚みＤ２が好ましくは３ｍｍ以上、より好ましくは５〜１０ｍｍ程度となるように中心位置を決めたほうが良い。一方、歯面裏側を主に清掃する場合、中指第２関節前後の腹部のフィット性と、指先でしっかりと持ち、把持したときの力加減が容易となる点を考慮すると、各把持部の円弧中心が反対側にあることが好ましい。
上記絞り部１０は、円弧半径Ｒ９＝６０ｍｍ、幅Ｗ２＝約７ｍｍとしたが、中指第２関節前後の腹部とフィット性と、把持したときの力加減が容易となる点を考慮すると、Ｒ９は４０〜８０ｍｍ程度が好ましく、より好ましくは５０〜７０ｍｍ程度であり、Ｗ２は３ｍｍ以上が好ましく、より好ましくは５〜１０ｍｍ程度である。ただし、幅広部８より幅が小さいことが好ましい。
次に、本発明の歯牙清掃用セットの実施例を示すことにより、具体的に説明するが、本発明の歯牙清掃用セットはこれら実施例により何ら限定されるものではない。なお、実施例における、評価に用いる歯（ポリッシング対象歯）、各種評価方法すなわちハンター白度の増加量、光沢度、除去感、表面傷については上述した内容とまったく同一にして行った。なお、ポリッシング操作及び使用感の評価方法については、以下のようにして行った。
（１）ポリッシング操作
実施例２８の歯磨剤を、各実施例の器具に適量塗布し、ポリッシングを行った。試験は男性３人女性２人の計５人で行い、日常の歯ブラシでブラッシングする場合と同程度の力で、１歯につき２０往復のポリッシング操作を行なった。
（２）使用感
ポリッシング操作したときの歯磨剤と器具の、扱いやすさや磨きやすさなどの使用感について、次の基準で官能的に評価した。
○…歯磨剤が塗布しやすく、磨きやすい（力加減が容易で操作も容易）
△…塗布しにくいが、歯牙を磨く上では問題ない
×…塗布しにくく、磨きにくい
なお、試験を実施した男女５人の平均を代表とした。
［実施例４３〜４４］  −ポリッシング操作に用いる器具が異なる例
実施例２８の歯磨剤を用い、それぞれ異なる器具でポリッシング操作を行い、歯牙清掃効果を評価した結果を表１６に示す。実施例４３は、上述した歯面清掃具である。すなわち、繊維方向が同一となるようにポリエステル長繊維を複数本揃えた集合体を、ポリアセタール樹脂に含浸し、直径約４ｍｍの円柱状に固着成形した後、両端を所定形状にカットして長さ約１２ｍｍとした清掃部材を有するものである。実施例４４は、清掃部材の材質が研磨剤を含有するシリコンゴムである以外は、実施例４３と同様の歯面清掃具である。実施例４５は、歯科医師が、研磨剤とともに使用する着色汚れ除去用の器具である。なお実施例２８では上述のごとく綿棒を用いた。
2004022018.tif 000018
表１６から明らかなように、綿棒や歯科医師が使用する器具に比べ、本発明による歯面清掃具のほうが使用しやすい事がわかる。また、着色汚れ除去効果も実施例４３が最適であることがわかる。また、実施例４４のように研磨剤入りの清掃具を使用した場合、歯磨剤にも研磨効果があるため、研磨剤によっては歯牙表面を傷つけるおそれがある。
以上のように、本発明によれば高硬度セラミックスであるチッ化ケイ素粉末を使用することにより、高価なダイヤモンド粉末を使用することなく、また歯牙表面を傷つけることなく、短時間の簡単な清掃で良好なヤニ及び茶渋等の着色汚れを除去し、歯牙を美しくすることができる歯磨剤及びその製造方法を提供することができ、歯面に付着した着色汚れを除去する際に、指先でしっかりと持つことができ、把持したときの力加減が容易であり、かつ歯牙表面を傷つけることなく、短時間で手軽に清掃できる歯面清掃具が提供でき、歯磨剤と歯面清掃具を組合わせて用いることで、より効果的に歯牙清掃できる歯牙清掃用セットを提供することができる。
【産業上の利用可能性】    以上のように、本発明にかかる歯磨剤は、タバコのヤニ等の着色汚れの除去に有用であり、歯科医院及び一般家庭での歯の清掃に有用で、また本発明にかかる歯面清掃具は、指先による保持が容易で、本発明の歯磨剤と併せ用いることにより、一般家庭においても容易かつ効果的に歯の着色汚れを除去することができる。
【図１】
2004022018.tif 000019
【図２】
2004022018.tif 000020
【図３】
2004022018.tif 000021
【図４】
2004022018.tif 000022
【図５】
2004022018.tif 000023
【国際調査報告】
2004022018.tif 000024
2004022018.tif 000025
2004022018.tif 000026
2004022018.tif 000027
2004022018.tif 000028